(57)【要約】  【課題】頸椎の生理的前弯維持や頸椎変形の予防・矯正を一般家庭で簡単に行えるようにする。  【解決手段】本発明の頸椎生理的前弯維持・矯正枕は、使用者が頭部と首部を枕本体１に載せて仰臥すると、使用者の首筋の第１，第２頸椎と第７頸椎の各両脇個所が、枕本体１の首受け部３の表面に配設されている支持用凸状部としての縦長凸部材７Ａ〜７Ｄに当たり、使用者Ｍの頸椎は第１，第２頸椎と第７頸椎の両脇各２ヶ所ずつ計４ヶ所で受け支えられるので、頸椎の生理的前弯が保持されるのに加え、縦長凸部材７Ａ〜７Ｄが第１，第２頸椎と第７頸椎の両脇のツボに頭重で押し当てられるので、頸椎まわりの筋肉の負担も減る。使用者は就寝中に本発明の枕を使用して枕本体１に頭部および首部を載せて仰臥するだけで、一般家庭でも簡単に頸椎の生理的前弯維持や頸椎変形の予防・矯正を行うことができる。【選択図】    図１
2005027993.tif 000002
【特許請求の範囲】
【請求項１】
頭部および首部が載せられる枕本体を備え、枕本体における首筋を受ける首受け部の表面には頭部および首部が枕本体に置かれた際に首筋の上端寄り頚椎の両脇個所と下端寄り頚椎の両脇個所が当たる位置とにそれぞれ支持用凸状部が配設されていることを特徴とする頚椎生理的前弯維持・矯正枕。
【請求項２】
請求項１に記載の頚椎生理的前弯維持・矯正枕において、上端寄り頚椎が第１頚椎（Ｃ１）および第２頚椎（Ｃ２）であり、下端寄り頚椎が第７頚椎（Ｃ７）である頚椎生理的前弯維持・矯正枕。
【請求項３】
請求項１または２に記載の頚椎生理的前弯維持・矯正枕において、支持用凸条部材がクッション性材料からなる頚椎生理的前弯維持・矯正枕。
【請求項４】
請求項１から３のいずれかに記載の頚椎生理的前弯維持・矯正枕において、上端寄り頚椎の両脇個所に当たる支持用凸状部は、その長手方向が頚椎の長手方向に向き気味となるかたちで上端寄り頚椎の一側脇と他側脇のそれぞれに取り付けられている二つの縦長凸部材とからなると共に、下端寄り頚椎の両脇個所に当たる支持用凸状部は、長手方向が頚椎の長手方向に向き気味となるかたちで下端寄り頚椎の一側脇と他側脇のそれぞれに取り付けられている二つの縦長凸部材とからなる頸椎生理的前弯維持・矯正枕。
【請求項５】
請求項４に記載の頸椎生理的前弯維持・矯正枕において、上端寄り頸椎の両脇個所では二つの縦長凸部材が逆ハ字状配置とされ、下端寄り頸椎の両脇個所では二つの縦長凸部材が正ハ字状配置とされている頸椎生理的前弯維持・矯正枕。
【請求項６】
請求項１から５のいずれかに記載の頸椎生理的前弯維持・矯正枕において、枕本体における後頭部を受ける頭受け部が、クッション性材料からなる頸椎生理的前弯維持・矯正枕。
【発明の詳細な説明】
【技術分野】
【０００１】
本発明は、頚部脊椎（頸椎）の生理的前弯を保持して健康な頸椎を維持したり、あるいは頚部脊椎症に罹っている病気の頸椎を矯正したり、さらには頸椎変形を予防したりするのに用いられる頸椎生理的前弯維持・矯正枕に係り、特に頸椎の生理的前弯維持や、頸椎変形の予防・矯正が、一般家庭で簡単に行えるようにするための技術に関する。
【背景技術】
【０００２】
指や手あるいは腕から肩などのしびれや痛みは、頸椎の生理的前弯が損なわれたり、頸椎が変形したりして頚部脊椎症に罹っていることが多い。首の骨の椎間板が長い間の動きにより後方に飛び出して頸椎の生理的前弯が損なわれた場合、脊髄や神経を圧迫し、しびれや痛みを引き起こす。ひどくなると、手足の筋力が落ちたり、手を細やかに動かし難くなったりする。したがって、頸椎の頸椎の生理的前弯維持は非常に重要である。しかしながら、事故で頸椎が変形して頚部脊椎症に罹る心配があるだけでなく、デスクワークや車の運転等のねこ背・前かがみの姿勢を日常生活で続けるうちに頸椎の生理的前弯が損なわれて頚部脊椎症に罹ったりする心配がある。
【０００３】
例えば、普通の枕、特に高めの枕を使用して就寝すると、頸椎にとって本来の曲がりである生理的前弯とは逆の後弯を強いられることになり、骨や首を後から支える筋肉の負担も増す。そして、歳月の経過と共に、いつしか生理的前弯が損なわれ、逆弯曲椎ないしスワンネック状態となって頚部脊椎症の発病に至ることもある。
【０００４】
頚部脊椎症の従来の治療方法としては、頸椎牽引あるいは頸椎コルセット着用などの物理的療法を根気よく続けるのが一般的である。また、頸椎の筋肉のこりや痛みには継続的なと整体やマッサージなどが有効である。
【発明の開示】
【発明が解決しようとする課題】
【０００５】
しかしながら、頸椎の生理的前弯維持や、頸椎変形の予防、あるいは、病気の頸椎の矯正は決して簡単ではないという問題がある。
【０００６】
すなわち、頸椎の生理的前弯維持や頸椎変形の予防に好ましいからといっても、日々の生活様式を変えることは簡単なことではないし、整体やマッサージなどは筋肉のこりや痛みをやわらげる効果はあっても、頸椎の矯正効果の期待はもてない。
【０００７】
また、頚部脊椎症は、薬剤投与で劇的に回復する性質のものではなく、長期間にわたる定期的な通院が必要であり、頚部脊椎症の治療に必要だからといっても、うっとしい牽引あるいはコルセット着用などを続けるのは難しいので、多忙な現代人にとって矯正は簡単なことではない。
【０００８】
本発明は、上記の事情に鑑みなされたものであって、頸椎の生理的前弯維持や、頸椎変形の予防・矯正を一般家庭で簡単におこなうことができる頸椎生理的前弯維持・矯正枕を提供することを目的とする。
【課題を解決するための手段】
【０００９】
本発明は、このような目的を達成するために、次のような構成をとる。
【００１０】
すなわち、請求項１に記載の発明に係る頸椎生理的前弯維持・矯正枕は、頭部および首部が載せられる枕本体を備え、枕本体における首筋を受ける首受け部の表面には頭部および首部が枕本体に置かれた際に首筋の上端寄り頸椎の両脇個所と下端寄り頸椎の両脇個所が当たる位置とにそれぞれ支持用凸状部が配設されていることを特徴とするものである。
【００１１】
（作用・効果）請求項１の発明の頸椎生理的前弯維持・矯正枕を使用して頸椎の生理的前弯を維持したり、或いは、頸椎変形の予防・矯正をしたりする場合、使用者は頭部および首部を枕本体に載せて仰臥する。そうすると、使用者の首筋の上端寄り頸椎の両脇個所と下端寄り頸椎の両脇個所が、枕本体の首受け部の表面に配設されている支持用凸状部に当たるので、頸椎は上端寄りと下端寄りの両脇各２ヶ所ずつ計４ヶ所で受け支えられるので、頸椎の生理的前弯が保持される。また、支持用凸状部が上端寄り頸椎と下端寄り頸椎の各脇個所に押し当てられるので、頸椎まわりの筋肉に過度の緊張が加わることが回避される結果、筋肉の負担が減る。
【００１２】
即ち、本発明の枕は、端的に換言すれば、使用者の頭部〜頸椎〜胸郭の適切な連続性および頸椎の生理的前弯や適正な位置関係の維持・矯正に威力を発揮する構造を具備しているということができる。
【００１３】
このように、使用者が頭部および首部を枕本体に載せて仰臥するだけで頸椎の生理的前弯維持や頸椎変形の予防・矯正ができるのである。勿論、請求項１の発明の頸椎生理的前弯維持・矯正枕も、相当期間、使用を続ける必要があるが、就寝時に本発明の頸椎生理的前弯維持・矯正枕を使えば良いだけのことだから、使用し続けることは容易である。それに、使用中、首筋の上端寄り頸椎と下端寄り頸椎の各脇個所に下から支持用凸状部が当てられるだけだから、使用者は何ら枕に拘束されることもなく、随時に寝返りを打ち横臥してリラックスすることもできるので、頸椎生理的前弯維持・矯正枕は全く無理なく使用できる。その結果、使用者は、頸椎の病状亢進で頸椎を手術しなければならないという最悪状態に陥ることも避けられる。
【００１４】
纏めて言えば、使用者は、単に頭部および首部を枕本体に載せて仰臥するだけだから、自宅で使用者が自分一人で寝ている間に特に困難もなく、またお金もかけずに、頸椎の生理的前弯を維持したり、或いは、頸椎変形の予防・矯正をしたりすることができる。
【００１５】
したがって、請求項１の発明の頸椎生理的前弯維持・矯正枕の場合、使用者が枕本体に頭部および首部に置いて仰臥すると、使用者の首筋の上端寄り頸椎の両脇個所と下端寄り頸椎の両脇個所が枕本体の首受け部の表面に配設された支持用凸状部に当たって、頸椎の生理的前弯が保持されるのに加え、頸椎まわりの筋肉の負担が減る構成となっていて、使用者は就寝時に本発明の頸椎生理的前弯維持・矯正枕を使用して枕本体に頭部および首部を載せて仰臥するだけで、頸椎の生理的前弯を維持したり、或いは、頸椎変形の予防・矯正をしたりできるので、請求項１の発明の頸椎生理的前弯維持・矯正枕によれば、頸椎の生理的前弯維持や、頸椎変形の予防・矯正を一般家庭で簡単におこなうことができる。
【００１６】
また、請求項２に記載の発明は、請求項１に記載の頸椎生理的前弯維持・矯正枕において、上端寄り頸椎が第１頸椎（Ｃ１）および第２頸椎（Ｃ２）であり、下端寄り頸椎が第７頸椎（Ｃ７）であるものである。
【００１７】
（作用・効果）請求項２の発明の頸椎生理的前弯維持・矯正枕の場合、第１，第２頸椎および第７頸椎の両脇個所という所謂ツボに支持用凸状部が当たるので、頸椎の生理的前弯を維持したり、頸椎変形の予防・矯正をしたりする効能に優れる。
【００１８】
頭部と頸椎ならびに胸郭は第２頸椎および第７頸椎とその棘突起、外側塊に付着し、左右に放射状に拡がる重要な筋群（小後頭直筋、大後頭直筋、下頭斜筋、頭板状筋、頚棘筋）と正中部を貫く項靱帯によって支えられている。項靱帯は僧帽筋を始めとする浅、中僧の後頚部を構成する傍脊柱筋群の付着部に移行し、それはあたかも橋脚（第２頸椎および第７頸椎）と橋梁（棘突起、外側塊に付着する筋群や靱帯）のような関係にある。第２頸椎および第７頸椎の両脇個所という所謂ツボを支持用凸状部で加圧することで、頭部と頸椎ならびに胸郭を支えている筋群に過度の緊張が与えられることが回避される結果、頸椎まわりの筋肉の負担が減り、頸椎の生理的前弯がしっかり保持される。
【００１９】
解剖学的にも第２頸椎および第７頸椎の棘突起は他のどの棘突起よりも大きく発達しており、頭部と頸椎ならびに胸郭を支える重要な筋群（小後頭直筋、大後頭直筋、下頭斜筋、頭板状筋、頚棘筋および項靱帯）は、ここに付着部をもつので、第２頸椎および第７頸椎は要のポイント（即ちツボ）と言える。また、筋肉や靱帯の付着部は血管が細く血液が滞り易くて、神経を刺激する発痛物質や乳酸等が溜まり易いので、支持用凸状部の加圧による指圧機能が有効に作用する。
【００２０】
さらに、第１頸椎〜第２頸椎の外側塊は小後頭神経および大後頭神経の出発点であり、鍼灸における風池、天柱にあたり、第７頸椎の棘突起は大椎とよばれ、いずれも気（エネルギー）の流れをよくし血液の循環を取り戻す為の重要なポイント（ツボ）である。
【００２１】
したがって、請求項２の発明の頸椎生理的前弯維持・矯正枕によれば、第１，第２頸椎および第７頸椎の両脇個所という要のツボに支持用凸状部が頭重で押し当てられるので、使用者は十分にリラックスして心地よく眠りにつけると共に、血液の循環がよくなるのに加え、頸椎を理想的な生理的前弯状態に保持することができるといった数々の優れた効能を発揮する。
【００２２】
また、請求項３に記載の発明は、請求項１または２に記載の頸椎生理的前弯維持・矯正枕において、支持用凸条部材がクッション性材料からなるものである。
【００２３】
（作用・効果）請求項３の発明の頸椎生理的前弯維持・矯正枕の場合、頸椎両脇個所がクッション性材料製の支持用凸状部によって柔らかく繰り返し押される結果、頸椎両脇個所にマッサージがかけられるかたちとなるので、頸椎両脇個所の筋肉の負担がいっそう少なくなる。
【００２４】
また、請求項４に記載の発明は、請求項１から３のいずれかに記載の頸椎生理的前弯維持・矯正枕において、上端寄り頸椎の両脇個所に当たる支持用凸状部は、その長手方向が頸椎の長手方向に向き気味となるかたちで上端寄り頸椎の一側脇と他側脇のそれぞれに取り付けられている二つの縦長凸部材とからなると共に、下端寄り頸椎の両脇個所に当たる支持用凸状部は、長手方向が頸椎の長手方向に向き気味となるかたちで下端寄り頸椎の一側脇と他側脇のそれぞれに取り付けられている二つの縦長凸部材とからなるものである。
【００２５】
（作用・効果）請求項４の発明の頸椎生理的前弯維持・矯正枕によれば、上・下端寄り頸椎の各脇個所に設けられている支持用凸状部は、その長手方向が、頸椎の長手方向に向き気味となるかたちで取り付けられている縦長凸部材であり、各縦長凸部材は上・下端寄り頸椎の各脇個所を頸椎の長手方向沿いの或る程度の長さにわたって押圧するので、頸椎まわりの加圧必要個所が漏れなく確実に加圧される。
【００２６】
また、請求項５に記載の発明は、請求項４に記載の頸椎生理的前弯維持・矯正枕において、上端寄り頸椎の両脇個所では二つの縦長凸部材が逆ハ字状配置とされ、下端寄り頸椎の両脇個所では二つの縦長凸部材が正ハ字状配置とされているものである。
【００２７】
（作用・効果）請求項５の発明の頸椎生理的前弯維持・矯正枕によれば、上端寄り頸椎の両脇個所に逆ハ字状配置とされた二つの縦長凸部材と、下端寄り頸椎の両脇個所に正ハ字状配置とされた二つの縦長凸部材によって頸椎がしっかり支えられる結果、頸椎の生理的前弯が確実に保持される。
【００２８】
また、請求項６に記載の発明は、請求項１から５のいずれかに記載の頸椎生理的前弯維持・矯正枕において、枕本体における後頭部を受ける頭受け部が、クッション性材料からなるものである。
【００２９】
（作用・効果）請求項６の発明の頸椎生理的前弯維持・矯正枕によれば、クッション性材料の頭受け部に後頭部が自重で沈み込んで頭受け部に嵌まった状態となり、後頭部の位置が安定するので、各頸椎両脇個所が支持用凸状部から外れ難くなる。
【発明の効果】
【００３０】
以上に詳述したように、請求項１の発明に係る頸椎生理的前弯維持・矯正枕は、使用者が枕本体に頭部および首部に置いて仰臥すると、使用者の首筋の上端寄り頸椎の両脇個所と下端寄り頸椎の両脇個所が枕本体の首受け部の表面に配設された支持用凸状部に当たり、頸椎は上端寄りと下端寄りの両脇各２ヶ所ずつ計４ヶ所で受け支えられるので、頸椎の生理的前弯が保持されるのに加えて、頸椎まわりの筋肉の負担が減る構成となっている。したがって、使用者は就寝中に本発明の頸椎生理的前弯維持・矯正枕を使用して枕本体に頭部および首部を載せて仰臥するだけで、頸椎の生理的前弯を維持したり、或いは、頸椎変形の予防・矯正をしたりできるので、請求項１の発明の頸椎生理的前弯維持・矯正枕によれば、頸椎の生理的前弯維持や、頸椎変形の予防・矯正を一般家庭で簡単におこなうことができる。
【発明を実施するための最良の形態】
【００３１】
続いて、本発明の頸椎生理的前弯維持・矯正枕の実施例を、図面を参照しながら説明する。図１は実施例に係る頸椎生理的前弯維持・矯正枕を示す平面図、図２は実施例の枕を示す側面図、図３は実施例の枕の使用状態を示す模式図である。
【００３２】
実施例の頸椎生理的前弯維持・矯正枕は、図３に示すように、頸椎の生理的前弯維持や頸椎変形の予防・矯正をしようとする使用者Ｍの頭部ｍｈおよび首部ｍｋが載せられる枕本体１を備えている。枕本体１は、上側が後頭部を受ける頭受け部２であり、下側が首筋を受ける首受け部３となっている。枕本体１の場合、頭受け部２が十分なクッション性材料（例えばウレタン系発泡フォーム）からなる他は、ある程度の腰がある材料（例えば化学繊維製の綿を型で押して固めた材料）からなり、首受け部３も、幾分クッション性がある。
【００３３】
枕本体１の頭受け部２には、正方形の凹み４が形成されていると共に凹み４に十分なクッション性を有する正方形プレート５が嵌め込まれている。さらに、正方形プレート５の表面には使用者Ｍの頭部ｍｈと同じ程の大きさの凹面部６が形成されている。
【００３４】
そして、実施例の頸椎生理的前弯維持・矯正枕の場合、枕本体１における首筋を受ける首受け部３の表面には、図３に示すように、使用者Ｍの頭部ｍｈおよび首部ｍｋが置かれた際に首筋における第１，第２頸椎（上端寄り頸椎）の両脇個所と第７頸椎（下端寄り頸椎）の両脇個所が当たる位置とに、図１に示すように、それぞれ支持用凸状部として縦長凸部材７Ａ〜７Ｄが配設されている。これら縦長凸部材７Ａ〜７Ｄは、いずれもクッション性材料（例えば、やや硬めの合成ゴム材料）からなる。
【００３５】
第１，第２頸椎の両脇個所に当たる縦長凸部材７Ａ，７Ｂは、その長手方向が頸椎の長手方向ＲＡに向き気味となるかたちで逆ハ字状配置で取り付けられている。また、第７頸椎の両脇個所に当たる縦長凸部材７Ｃ，７Ｄは、その長手方向が頸椎の長手方向ＲＡに向き気味となるかたちで正ハ字状配置で取り付けられている。
【００３６】
また、これら四個の縦長凸部材７Ａ〜７Ｄは互いに独立した個別部材であって、四個共、同一の形状寸法を有している。
【００３７】
支持用凸状部である縦長凸部材７Ａ〜７Ｄは、長さＬが２５ｍｍ〜３５ｍｍ程度であり、幅Ｗが１０ｍｍ〜２０ｍｍ程度、高さＨが５ｍｍ〜１５ｍｍ程度である。
【００３８】
縦長凸部材７Ａと縦長凸部材７Ｂの間隔ｄ１は、３０ｍｍ〜５０ｍｍ程度であり、縦長凸部材７Ｃと縦長凸部材７Ｄの間隔ｄ２は、３０ｍｍ〜５０ｍｍ程度である。
【００３９】
縦長凸部材７Ａ，７Ｂと縦長凸部材７Ｃ，７Ｄの間隔ｄ３は、６０ｍｍ〜１００ｍｍ程度である。
【００４０】
縦長凸部材７Ａ〜７Ｄの長手方向が頸椎の長手方向に向き気味となる程度を示す縦長凸部材７Ａ〜７Ｄと頸椎の長手方向ＲＡとのなす角度θは、２５°〜５５°程度である。
【００４１】
続いて、実施例の頸椎生理的前弯維持・矯正枕の使い方について説明する。頸椎の生理的前弯維持や頸椎変形の予防・矯正を行おうとする使用者Ｍは、図３に示すように、頭部ｍｈと首部ｍｋを枕本体１に載せて仰臥する。そうすると、使用者Ｍの首筋の第１，第２頸椎の両脇個所と第７頸椎の両脇個所が、枕本体１の首受け部３の表面に配設されている支持用凸状部としての縦長凸部材７Ａ〜７Ｄに当たるので、頸椎は第１，第２頸椎と第７頸椎の両脇各２ヶ所ずつ計４ヶ所で受け支えられるので、頸椎の生理的前弯が保持される。また、縦長凸部材７Ａ〜７Ｄが第１，第２頸椎と第７頸椎の各脇個所に押し当てられるので、頸椎まわりの筋肉に過度の緊張が加わることが回避される結果、筋肉の負担が少なくなる。  なお、図３においてＣ１〜Ｃ７は第１頸椎〜第７頸椎を示し、Ｔｈ１は第１胸椎を示す。
【００４２】
つまり、実施例の枕の場合、使用者Ｍが頭部ｍｈと首部ｍｋを枕本体１に載せて仰臥するだけで頸椎の生理的前弯維持や頸椎変形の予防・矯正ができるのである。勿論、実施例の枕も、相当期間、使用を続ける必要があるが、就寝中に実施例の頸椎生理的前弯維持・矯正枕を使えば良いだけのことだから、使用し続けることは容易である。それに、使用中、首筋の第１，第２頸椎と第７頸椎の各脇個所に下から縦長凸部材７Ａ〜７Ｄが当てられるだけだから、使用者Ｍは何ら枕に拘束されることもなく、随時に寝返りを打ち横臥してリラックスすることもできるので、頸椎生理的前弯維持・矯正枕は無理なく使用できる。その結果、使用者Ｍは、頸椎の病状亢進で頸椎を手術しなければならないという最悪状態に陥ることも避けられる。
【００４３】
このように、使用者Ｍは、単に頭部ｍｈと首部ｍｋを枕本体１にに載せて仰臥するだけだから、自宅で使用者Ｍが自分一人で寝ている間に特に困難もなく、またお金もかけずに、頸椎の生理的前弯を維持したり、或いは、頸椎変形の予防・矯正をしたりすることができる。
【００４４】
その上に、実施例の頸椎生理的前弯維持・矯正枕の場合、加えて、以下のような数々の効能を発揮する。
【００４５】
即ち、クッション性材料製の縦長凸部材７Ａ〜７Ｄが特にツボである第１，第２頸椎および第７頸椎の両脇個所に頭重で押し当てられるので、使用者Ｍは十分にリラックスして心地よく眠りにつけると共に、血液の循環がよくなるのに加え、頸椎を理想的な生理的前弯に保持することができるといった数々の優れた効能が発揮される。
【００４６】
また、縦長凸部材７Ａ〜７Ｄは、その長手方向が頸椎の長手方向ＲＡに向き気味となるかたちで首受け部２の表面に取り付けられていて、各縦長凸部材７Ａ〜７Ｄが上・下端寄り頸椎の各脇個所を頸椎の長手方向ＲＡ沿いの或る程度の長さにわたって押圧するので、頸椎まわりの加圧必要個所が漏れなく確実に加圧される。
【００４７】
加えて、第１，第２頸椎の両脇個所に逆ハ字状配置とされた二つの縦長凸部材７Ａ，７Ｂと、第７頸椎の両脇個所に正ハ字状配置とされた二つの縦長凸部材７Ｃ，７Ｄによって頸椎がしっかり支えられる結果、頸椎の生理的前弯が確実に保持される。
【００４８】
さらに、クッション性材料の頭受け部２に後頭部が自重で沈み込んで頭受け部２に嵌まった状態となり、後頭部の位置が安定して各頸椎両脇個所が縦長凸部材７Ａ〜７Ｄから外れ難い。
【００４９】
本発明は、上記実施の形態に限られることはなく、下記のように変形実施することができる。
【００５０】
（１）実施例の枕では、支持用凸状部が縦長凸部材７Ａ〜７Ｄであったが、支持用凸状部は縦長凸部材７Ａ〜７Ｄに限られるものではなく、例えば、図４に示すように、支持用凸状部が半球凸部材８Ａ〜８Ｄである構成の頸椎生理的前弯維持・矯正枕が、変形例として挙げられる。
【００５１】
（２）実施例の枕では、縦長凸部材７Ａ〜７Ｄの高さが一定であったが、図５に示すように、縦長凸部材７Ａ，７Ｂの高さが上側で低くなっていると共に、縦長凸部材７Ｃ，７Ｄの高さが下側で低くなっている構成の頸椎生理的前弯維持・矯正枕が、変形例として挙げられる。この変形例の場合、頸椎の真ん中が上がり気味となるので、頸椎を生理的前弯とし易い。
【００５２】
（３）実施例の枕では、枕本体１の首受け部３の表面が平らであったが、図６に示すように、枕本体１の首受け部３の表面が中央で少し高くなる傾斜が付けられていて、縦長凸部材７Ａ，７Ｂと縦長凸部材７Ｃ，７Ｄが中央側で高さが少し高くなっている構成の頸椎生理的前弯維持・矯正枕が、変形例として挙げられる。この変形例の場合も、頸椎の真ん中が上がり気味となるので、頸椎を生理的前弯とし易い。
【００５３】
（４）実施例の枕では、縦長凸部材７Ａ〜７Ｄは長さ方向にわたって硬さが一定であったが、縦長凸部材７Ａ，７Ｂは上側半分が下側半分より柔らかく、逆に縦長凸部材７Ｃ，７Ｄは下側半分が上側半分より柔らかい構成の頸椎生理的前弯維持・矯正枕が、変形例として挙げられる。やはり、この変形例の場合も、頸椎の真ん中が上がり気味となるので、頸椎を生理的前弯とし易い。
【００５４】
（５）実施例の頸椎生理的前弯維持・矯正枕では、縦長凸部材７Ａ〜７Ｄが全て同一の形状・寸法であったが、縦長凸部材７Ａ，７Ｂと縦長凸部材７Ｃ，７Ｄの間で形状・寸法に違いがあったり、縦長凸部材７Ａ〜７Ｄの間で形状・寸法に差があったりしてもよい。
【００５５】
（６）実施例の頸椎生理的前弯維持・矯正枕では、縦長凸部材７Ａ〜７Ｄが全て完全に独立した部材であったが、縦長凸部材７Ａと縦長凸部材７Ｃがひとつに繋がっている部材であったり、縦長凸部材７Ｂと縦長凸部材７Ｄがひとつに繋がっている部材であったりしてもよい。さらには、縦長凸部材７Ａ〜７Ｄが全てひとつに繋がっている部材であってもよい。
【図面の簡単な説明】
【００５６】
【図１】実施例に係る頸椎生理的前弯維持・矯正枕を示す平面図である。
【図２】実施例の頸椎生理的前弯維持・矯正枕を示す側面図である。
【図３】実施例の頸椎生理的前弯維持・矯正枕の使用状態を示す模式図である。
【図４】変形例に係る頸椎生理的前弯維持・矯正枕の支持用凸状部である半球凸部材まわりの構成を示す部分側面図である。
【図５】他の変形例に係る頸椎生理的前弯維持・矯正枕の支持用凸状部である縦長凸部材まわりの構成を示す部分側面図である。
【図６】他の変形例に係る頸椎生理的前弯維持・矯正枕の支持用凸状部である縦長凸部材まわりの構成を示す部分側面図である。
【符号の説明】
【００５７】
１            …枕本体
２            …頭受け部
３            …首受け部
７Ａ〜７Ｄ    …縦長凸部材（支持用凸状部）
８Ａ〜８Ｄ    …半球凸部材（支持用凸状部）
Ｍ            …使用者
ｍｈ          …頭部
ｍｋ          …首部
ＲＡ          …頸椎の長手方向
【図１】
2005027993.tif 000003
【図２】
2005027993.tif 000004
【図３】
2005027993.tif 000005
【図４】
2005027993.tif 000006
【図５】
2005027993.tif 000007
【図６】
2005027993.tif 000008